(57)【要約】【課題】  整列搬送物品の間隔変更用ベルトコンベヤとして、短いベルト長さで搬送物品の間隔を大きく変更することができるとともに、構造がコンパクトで低コストのものを提供する。【解決手段】  前ベルトコンベヤ２６、後ベルトコンベヤ２７間に設置するナイフエッジ形ベルト支持板１１と、ベルト支持板１１に上下部を通して前後のベルトコンベヤ隣接端辺間を往復的にのびる張設した、両側部の外周部にエンドレスのタイミングベルト１３を取り付けた筒状の横編布製シームレスベルト１２と、シームレスベルト１２の直上でタイミングベルト１３の内側部に走行案内可能に沿接するとともにシームレスベルト１２をベルト支持板１１上に両側辺を傾斜辺とする台形状にのびるように張設する一対のベルトガイド・張設バー１４と、一対のタイミングベルト１３に係合する一対の伝動タイミングギヤ１９とからなる。【選択図】      図１
2006131360.tif 000002
【特許請求の範囲】
【請求項１】
前ベルトコンベヤ隣接端辺と後ベルトコンベヤ隣接端辺を有するナイフエッジ形ベルト支持板と、ベルト支持板に前ベルトコンベヤ隣接端辺と後ベルトコンベヤ隣接端辺の間をベルト支持板の上下部を通して往復的にのびるように張設した筒状の編布製シームレスベルトであって、両側部の筒口端部の外周部に一対のエンドレスのタイミングベルトを取り付けたシームレスベルトと、シームレスベルトの両側部の直上において一対のタイミングベルトの対向側部に走行案内可能に沿接するとともにシームレスベルトをベルト支持板上において、前ベルトコンベヤに隣接する往路部の始端と後ベルトコンベヤに隣接する往路部の終端の一方を短辺、他方を長辺としかつ両側端を傾斜辺とする台形状にのびるように張設する一対のベルトガイド・張設バーと、一対のタイミングベルトに駆動係合する一対の伝動タイミングギヤとからなる、整列搬送物品の間隔変更用ベルトコンベヤ。 
【請求項２】
シームレスベルトの筒状の編布が筒状の横編布である、請求項１記載のベルトコンベヤ。
【請求項３】
ベルトガイド・張設バーは、一端部を支点としてベルト支持板の幅方向に揺動可能である、請求項１または２記載のベルトコンベヤ。
【請求項４】
前ベルトコンベヤ隣接端辺と後ベルトコンベヤ隣接端辺を有するナイフエッジ形ベルト支持板と、ベルト支持板に前ベルトコンベヤ隣接端辺と後ベルトコンベヤ隣接端辺の間をベルト支持板の上下部を通して往復的にのびるように張設した筒状の編布製シームレスベルトであって、両側部の筒口端部の外周部に一対のエンドレスのタイミングベルトを取り付けたシームレスベルトと、1一対のタイミングベルト上に物品搬送方向において相互の間隔を順次増大又は減少するように設置した、各タイミングベルトに間隔をおいて係合する複数のフランジ付き伝動タイミングギヤからなる伝動タイミングギヤ列であって、シームレスベルトをベルト支持板上において、前ベルトコンベヤに隣接する往路部の始端と後ベルトコンベヤに隣接する往路部の終端の一方を短辺、他方を長辺としかつ両側端を傾斜辺とする台形状にのびるように張設する一対の伝動タイミングギヤ列とからなる、整列搬送物品の間隔変更用ベルトコンベヤ。 
【請求項５】
シームレスベルトの筒状の編布が筒状の横編布である、請求項４記載のベルトコンベヤ。
【請求項６】
一対のタイミングギヤ列は、一端近傍部を支点としてベルト支持板の幅方向に揺動可能である、請求項４たは５記載のベルトコンベヤ。
【発明の詳細な説明】
【技術分野】
【０００１】
この発明は、整列して搬送するパンなどの物品の間隔を拡大又は縮小するために前ベルトコンベヤと後ベルトコンベヤの間に設置する、物品搬送方向における幅が連続的に増加又は減少する整列物品の間隔変更用ベルトコンベヤに関する。
【背景技術】
【０００２】
本発明者は、先に、この種のベルトコンベヤとして、筒状の伸縮織布製のシームレスベルトの両側部（耳端部）を、物品搬送方向において相互の間隔が連続的に増加又は減少するサイドフレームに沿って上下に定置した複数対の回転駆動型の把持部材で挟持して走行させることにより、シームレスベルトが物品搬送方向において幅を連続的に増加又は減少しながら走行するようにしたものを提案した（例えば特許文献１参照）。
【０００３】
この既提案のベルトコンベヤは、それ以前の慣用のものに相当の改良を加えて、構造のコンパクト化を図ったものであるが、伸縮織布製のシームレスベルトは、伸縮性を有するとは言え、伸縮率が小さいため、搬送物品の間隔を大きく変更するには、ベルトの長さ（周長）を長くしなければならないとともに、これに伴ってベルトを挟持して走行駆動するための回転駆動型の把持部材数も多くなることから、製作コストや保守点検コストの低減が図りにくいという難点がある。
【特許文献１】特開平６−３３６３３０号公報
【発明の開示】
【発明が解決しようとする課題】
【０００４】
この発明は、既提案のものに認められる上記のような難点に鑑み、この種のベルトコンベヤとして、短いベルトの長さで搬送物品の間隔を大きく変更することができるとともに、構造がよりコンパクトで、コストがより低いものを提供することを課題としている。
【課題を解決するための手段】
【０００５】
この発明によれば、第一には、特許請求の範囲の請求項１に記載のように、前ベルトコンベヤ隣接端辺と後ベルトコンベヤ隣接端辺を有するナイフエッジ形ベルト支持板と、ベルト支持板の前ベルトコンベヤ隣接端辺と後ベルトコンベヤ隣接端辺の間をベルト支持板の上下（表裏）部を通して往復的にのびるように張設した筒状の編布製シームレスベルトであって、両側部の筒口端部の外周部に一対のエンドレスのタイミングベルト（歯付きベルト）を取り付けたシームレスベルトと、シームレスベルトの両側部の直上において一対のタイミングベルトの対向側部（内側部）に走行案内可能に沿接するとともにシームレスベルトをベルト支持板上において、前ベルトコンベヤに隣接する往路部の始端と後ベルトコンベヤに隣接する往路部の終端の一方を短辺、他方を長辺としかつ両側端を傾斜辺とする台形状にのびるように張設する一対のベルトガイド・張設バーと、各タイミングベルトに係合する一対の伝動タイミングギヤとからなる、整列搬送物品の間隔変更用ベルトコンベヤによって、上記の課題を解決する。
【０００６】
この発明に係る第一のベルトコンベヤでは、伝動タイミングギヤによる両タイミングベルトの同期走行により、ベルト支持板上のシームレスベルトの往路部を、物品搬送方向に連続的に拡幅又は減幅しながら伸長状態で走行させるもので、これにより前ベルトコンベヤから受容した整列物品は順次相互の間隔を離隔又は接近して、最終的には所望の離隔状態で後ベルトコンベヤに送り出される。
【０００７】
この第一のベルトコンベヤにおいては、特許請求の範囲の請求項２に記載のごとく、シームレスベルトの筒状の編布は、筒状の横編布とすることが望ましい。
【０００８】
また第一のベルトコンベヤにおいては、特許請求の範囲の請求項３に記載のように、一対のベルトガイド・張設バーは、一端部を支点としてベルト支持板の幅方向（従ってシームレスベルトの幅方向）に揺動可能にすることが望ましい。
【０００９】
この発明によれば、第二には、特許請求の範囲の請求項４に記載のごとく、前ベルトコンベヤ隣接端辺と後ベルトコンベヤ隣接端辺を有するナイフエッジ形ベルト支持板と、ベルト支持板の前ベルトコンベヤ隣接端辺と後ベルトコンベヤ隣接端辺の間をベルト支持板の上下部を通して往復的にのびるように張設した筒状の編布製シームレスベルトであって、両側部の筒口端部の外周部に一対のエンドレスのタイミングベルトを取り付けたシームレスベルトと、一対のタイミングベルト上に物品搬送方向において相互の間隔を順次増大又は減少するように支持した、各タイミングベルトに間隔をおいて係合する複数のフランジ付き伝動タイミングギヤからなる伝動タイミングギヤ列であって、シームレスベルトをベルト支持板上において、前ベルトコンベヤに隣接する往路部の始端と後ベルトコンベヤに隣接する往路部の終端の一方を短辺、他方を長辺としかつ両側端を傾斜辺とする台形状にのびるように張設する一対の伝動タイミングギヤ列とからなる、整列搬送物品の間隔変更用ベルトコンベヤによって、上記の課題を解決する。
【００１０】
この発明に係る第二のベルトコンベヤにおいても、第一のそれと同様に、一対の駆動タイミングギヤ列による両タイミングベルトの同期駆動により、ベルト支持板上のシームレスベルトの往路部を、物品搬送方向に連続的に拡幅又は減幅しながら伸長状態で走行させる。これにより前ベルトコンベヤから受容した整列物品を、順次相互の間隔を離隔又は接近させて、最後は所定の離隔状態で後ベルトコンベヤに送り出す。
【００１１】
この第二のベルトコンベヤにおいても、特許請求の範囲の請求項５に記載のように、シームレスベルトの筒状の編布は、筒状の横編布とすることが望ましい。
【００１２】
さらに第二のベルトコンベヤにおいては、特許請求の範囲の請求項６に記載のように、一対の伝動タイミングギヤ列は、一端近傍部を支点としてベルト支持板の幅方向に揺動的に移動可能にすることが望ましい。
【発明の効果】
【００１３】
特許請求の範囲の請求項１、請求項４に記載のこの発明に係る第一、第二のベルトコンベヤの基本構成によれば、シームレスベルトが編布製で、伸縮率が極めて大きいので、長さが短くても、拡幅率又は減幅率を大きくすることができ、これにより搬送物品の間隔を大きく変更することができる。また構成手段が、前者は、ナイフエッジ形ベルト支持板、一対のタイミングベルト付き編布製シームレスベルト、一対のベルトガイド・張設バーと伝動タイミングギヤのみ、後者は、ナイフエッジ形ベルト支持板、一対のタイミングベルト付き編布製シームレスベルトと一対の伝動タイミングヤア列のみのいずれもコンパクトな構造上、製作コスト、保守点検コストが安価である。
【００１４】
また特許請求の範囲の請求項２、請求項５に記載のシームレスベルトの筒状の横編布による構成によれば、製編に使用する編糸が１本であるとともにベルトの長さ（周長）に対応する筒径の設定が簡単であるため、特にサイズや材質の異なる多種多様のシームレスベルト、従ってベルトコンベヤを安価に製作することができる。
【００１５】
さらに特許請求の範囲の請求項３、請求項６に記載のベルトガイド・張設バーの揺動可能な構成、伝動タイミングギヤ列の揺動的な移動可能な構成によれば、シームレスベルトの物品搬送方向における拡幅状態（拡幅率）又は減幅状態（減幅率）の変更を容易に行うことができる。
【発明を実施するための最良の形態】
【００１６】
以下図１と図２及び図３と図４に基づいて、この発明に係るベルトコンベヤの第一及び第二の実施形態について説明する。
【００１７】
まず図１と図２に示す第一の形態は、前ベルトコンベヤ２６から狭い間隔の整列状態で受容した物品２８を、より広い間隔の整列状態にして、後ベルトコンベヤ２７上に送り出すもので、ナイフエッジ形のベルト支持板１１は、前ベルトコンベヤ隣接端辺と後ベルトコンベヤ隣接端辺の幅がそれぞれ前ベルトコンベヤ２６と後ベルトコンベヤ２７の幅より大きい台形状で、各コーナー部が支脚（図示せず）を介して支持してある。
【００１８】
シームレスベルト１２は筒状の横編布製で、両側部の外周部にエンドレスのタイミングベルト１３が取り付けてあり、ベルト支持板１１にその上下部を物品搬送方向にのびるように装着して張設してある。
【００１９】
両側のタイミングベルト１３の走行案内とシームレスベルト１２の張設をつかさどる一対のベルトガイド・張設バー１４は、前ベルトコンベヤ隣接端部（前端部）が、基端部をベルト支持板１１の各側部の前ベルトコンベヤ隣接端辺部に固定するとともにタイミングベルト１３の直上を通ってシームレスベルト１２のタイミングベルト１３隣接部の直上までのびる枢支アーム１５の先端部に枢支（枢着）してある一方、後ベルトコンベヤ隣接端部（後端部）が、ベルト支持板１１の各側部の後ベルトコンベヤ隣接端辺部に取り付けたクランプねじ１８に嵌合するガイド長孔１７付きでかつタイミングベルト１３の直上を通してシームレスベルト１２のタイミングベルト１３隣接部の直上までのびるクランプアーム１６の先端部に取り付けてある。これによりベルトガイド・張設バー１４は、枢支アーム１５の先端部における枢着部を支点としてシームレスベルト１２の直上を揺動可能であり、この揺動によるタイミングベルト１３の連動揺動を介して、シームレスベルト１２の張設を所定の台形状態に調整してセットすることができる。
【００２０】
また各伝動タイミングギヤ１９は、ベルト支持板１１の下方部に、それぞれのタイミングベルト１３の復路部に駆動係合させて設置してあり、図示しない電動モータに伝動機構を介して伝動連結されている。
【００２１】
この第一の形態においては、各伝動タイミングギヤ１９を介した各タイミングベルトベルト１３の走行に連動して、ベルト支持板１１上のシームレスベルト１２の往路部が、物品搬送方向に連続的に拡幅しながら走行する一方、復路部が反物品搬送方向に減幅しながら走行する。この結果前ベルトコンベヤ２６から受容する整列状態の物品２８は順次相互に離隔していき、所定の離隔状態で後ベルトコンベヤ２７６に送り出される。
【００２２】
次に図３と図４に略示する第二の形態は、第一の形態におけるベルトガイド・張設バー１４の作用を、伝動タイミングギヤが代行するような構成したもので、台形状のベルト支持板１１の両側部上には、前端部の枢支と後端部の手動ウインチ２１（ベルト支持板１１の両側隣接部の図示しないコンベヤフレームに設置してある）からのびるロープ２２の先端部の固着により、ベルト支持板１１上を幅方向に揺動可能な一対のビーム形のギヤ支持フレーム２０が設置してあり、それぞれのギヤ支持フレーム２０には、前後に間隔をおいてタイミングベルト１３に係合する複数のフランジ２４付き伝動タイミングギヤ２３が、それぞれの電動モータ２５とともに、一列に支持してある。
【００２３】
この第二の形態は、各手動ウインチ２１による各ギヤ支持フレーム２０の前端部を支点としたベルト支持板１１上における揺動により、伝動タイミングギヤ２３列からタイミングベルト１３を介して、ベルト支持板１１上のシームレスベルト１２を物品搬送方向において所定の台形状の拡幅状態に張設した状態で使用するもので、第一の形態と同様に、前ベルトコンベヤ２６から受容した物品２８は相互の間隔を増大しならが搬送されて、後ベルトコンベヤ２７に送り出される。
【００２４】
この発明は、このほか種々の形態で実施することができるもので、上記の形態に限定されるものでないことはもちろんである。
【図面の簡単な説明】
【００２５】
【図１】この発明に係るベルトコンベヤの第一の実施形態の略平面図である。
【図２】図１に示す実施形態の略側面図である。
【図３】この発明のベルトコンベヤの第二の実施形態の略平面図である。
【図４】図３に示す実施形態の一部の略側面図である。
【符号の説明】
【００２６】
１１  ベルト支持板
１２  シームレスベルト
１３  タイミングベルト
１４  ベルトガイド・張設バー
１５  枢支アーム
１６  クランプアーム
１７  ガイド長孔
１８  クランプねじ
１９  伝動タイミングギヤ
２０  ギア支持フレーム
２１  手動ウインチ
２２  ロープ
２３  伝動タイミングギヤ
２４  フランジ
２５  電動モータ
２６  前ベルトコンベヤ
２７  後ベルトコンベヤ
２８  物品
【図１】
2006131360.tif 000003
【図２】
2006131360.tif 000004
【図３】
2006131360.tif 000005
【図４】
2006131360.tif 000006